(57)【特許請求の範囲】
【請求項１】
被加熱物を加熱する加熱手段と、その加熱手段の加熱量を変更調整する加熱量調整手段と、目標加熱温度の変更を指令する人為操作式の温度変更指令手段と、その温度変更指令手段にて目標加熱温度の変更が指令される毎に、複数段階の設定対象温度のうちから予め設定された順序で定まる設定対象温度を目標加熱温度として設定する目標温度設定手段と、前記目標温度設定手段にて設定された前記目標加熱温度に応じて前記加熱量調整手段を制御する運転制御手段とが備えられた加熱調理器であって、
前記目標温度設定手段が、
前記複数段階の設定対象温度として、段階的に変化する温度幅を異ならせる状態で且つ基準とする複数段階の基準用の設定温度を含む状態で異なる段階数の設定対象温度を備える複数種の温度設定モードを備えて、その複数種の温度設定モードのうちの選択された温度設定モードにおいて、前記温度変更指令手段にて目標加熱温度の変更が指令されるごとに、複数段階の設定対象温度のうちから予め設定された順序で定まる設定対象温度を前記目標加熱温度として設定するように構成され、且つ、
人為式のモード選択手段のモード選択指令に基づいて、前記複数種の温度設定モードのうちのいずれかを目標温度設定に使用する温度設定モードとして定めるように構成されている加熱調理器。
【請求項２】
前記目標温度設定手段の前記温度設定モードが設定されたことを報知する報知手段が設けられ、
前記運転制御手段が、複数種の温度設定モード夫々において互いに異なる報知内容で報知作動を実行するように前記報知手段を制御するように構成されている請求項１記載の加熱調理器。
【請求項３】
前記目標温度設定手段にて設定された前記目標加熱温度を表示するための表示ランプが、設定対象温度の段階数が少ない少段階数の温度設定モードにおける複数の設定対象温度の夫々に対応する状態で設定個数並べる状態で設けられ、
前記運転制御手段が、
前記目標温度設定手段にて設定された前記目標加熱温度が前記各表示ランプに対応する設定対象温度であるときは、その設定対象温度に対応する表示ランプを点灯表示し、
前記目標温度設定手段にて設定された目標加熱温度が前記各表示ランプに対応する複数段階の設定対象温度の中間の温度であるときは、設定された目標加熱温度よりも高い設定対象温度に対応する表示ランプ、及び、設定された目標加熱温度よりも低い設定対象温度に対応する表示ランプの夫々を点灯表示するように構成されている請求項１又は２記載の加熱制御装置。
【請求項４】
前記目標温度設定手段における目標温度設定に使用する温度設定モードを記憶する無電源型の記憶手段が備えられ、
前記目標温度設定手段が、前記記憶手段に記憶されている前記温度設定モードにて前記目標加熱温度を設定するように構成されている請求項１〜３のいずれか１項に記載の加熱調理器。
【請求項５】
前記温度変更指令手段及び前記モード選択手段の夫々を兼用構成する１つの手動操作スイッチが備えられ、
前記手動操作スイッチがオン状態に切り換わることにより、前記目標加熱温度の変更を指令するように構成され、且つ、前記手動操作スイッチがオン状態を継続する時間が設定時間以上になることにより、前記モード選択指令を指令するように構成されている請求項１〜４のいずれか１項に記載の加熱調理器。
【請求項６】
前記目標温度設定手段が、前記複数種の温度設定モードとして、段階的に変化する温度幅が２０℃である少段階数の温度設定モードと、段階的に変化する温度幅が１０℃である多段階数の温度設定モードとを備えて構成されている請求項１〜５のいずれか１項に記載の加熱調理器。
【請求項７】
前記加熱手段が、被加熱物として加熱用容器に収容された調理物を加熱するように構成され、
前記加熱用容器の温度を検出する温度検出手段が備えられ、
前記運転制御手段が、前記温度検出手段の検出情報に基づいて前記加熱量調整手段を制御するように構成されている請求項１〜６のいずれか１項に記載の加熱調理器。
【発明の詳細な説明】
【技術分野】
【０００１】
本発明は、被加熱物を加熱する加熱手段と、その加熱手段の加熱量を変更調整する加熱量調整手段と、目標加熱温度の変更を指令する人為操作式の温度変更指令手段と、その温度変更指令手段にて目標加熱温度の変更が指令される毎に、複数段階の設定対象温度のうちから予め設定された順序で定まる設定対象温度を目標加熱温度として設定する目標温度設定手段と、前記目標温度設定手段にて設定された前記目標加熱温度に応じて前記加熱量調整手段を制御する運転制御手段とが備えられた加熱調理器に関する。
【背景技術】
【０００２】
この種の加熱調理器の従来例として、次のように構成されたものがあった。
すなわち、加熱手段としてのバーナによって被加熱物を加熱して揚げ物調理を行うように構成された加熱調理器としてのガスコンロにおいて、被加熱物を加熱するときの目標加熱温度を設定するにあたり、複数段階の設定対象温度として、例えば、揚げ物調理を行うときに標準的に使用される１６０℃、１８０℃、２００℃の３段階が基準用の設定対象温度として備えられ、さらに、それらの３段階の基準用の設定対象温度の夫々よりも１０℃づつ高めの温度１７０℃、１９０℃、２１０℃も設定対象温度として備えられ、温度変更指令手段としての揚げ物スイッチにて目標加熱温度の変更が指令される毎に、前記３段階の設定対象温度のうちから予め設定された順序で定まる設定対象温度を目標加熱温度として設定するように構成され、さらに、揚げ物スイッチの操作を所定時間以上継続して行うこと、又は、揚げ物スイッチと他のスイッチとを同時に操作すること等、目標加熱温度の変更を指令する操作とは異なる形態の別の操作を行うことによって、そのときに設定されている基準用の設定対象温度よりも１０℃高い温度を目標加熱温度とするように構成したものがあった（例えば、特許文献１参照。）。
【０００３】
【特許文献１】特開２００５−６１７１８号公報
【発明の開示】
【発明が解決しようとする課題】
【０００４】
上記従来構成は、複数段階の設定対象温度として、油を加熱して揚げ物調理を行う場合における基準となる３段階の基準用の設定対象温度以外にも、例えば１７０℃や１９０℃などの複数の基準用の設定対象温度の中間の温度等も目標加熱温度として設定することができるようにしたものである。
【０００５】
説明を加えると、加熱調理器を使用する使用者としては、上述したような３段階の基準用の設定対象温度のいずれか１つを選択して使用する場合のように、段階的に変化する温度幅が大きく少ない段階数の設定対象温度のうちのいずれか１つを選択して目標加熱温度として設定して使用する使用者だけでなく、複数の基準用の設定対象温度の中間の温度を選択して使用する場合のように、段階的に変化する温度幅が小さく多い段階数の設定対象温度のうちのいずれか１つを選択して目標加熱温度として設定して使用する使用者もいるので、いずれの使用者であっても好みの温度を目標加熱温度として設定することができるようにしているのである。
【０００６】
しかしながら、上記従来構成では、目標加熱温度として、３段階の基準用の設定対象温度のいずれか１つを選択して使用することが多い使用者は、温度変更指令手段にて目標加熱温度の変更を指令する操作を行うだけで所望の温度を目標加熱温度として設定することができるので使い勝手がよいものとなるが、目標加熱温度として、上記したような複数の基準用の設定対象温度の中間の温度を選択して使用することが多い使用者にとっては、使い勝手が悪いものとなる不利があった。
【０００７】
すなわち、目標加熱温度として上記したような中間の温度を設定する場合には、温度変更指令手段にて目標加熱温度の変更を指令する操作に加えて、目標加熱温度の変更とは異なる形態の操作を行う必要があり、操作内容が煩雑であって操作の仕方が分かり難く、使い勝手が悪いものとなっていた。
【０００８】
本発明の目的は、大きな温度幅で変化する少段階数の複数の温度のうちのいずれかを選択して目標加熱温度として使用することが多い使用者だけでなく、小さい温度幅で細かく変化する多段階の複数の温度のうちのいずれかを選択して目標加熱温度として使用することが多い使用者であっても、操作の煩わしさの少ない状態で目標加熱温度を設定することが可能な加熱調理器を提供する点にある。
【課題を解決するための手段】
【０００９】
本発明に係る加熱調理器は、被加熱物を加熱する加熱手段と、その加熱手段の加熱量を変更調整する加熱量調整手段と、目標加熱温度の変更を指令する人為操作式の温度変更指令手段と、その温度変更指令手段にて目標加熱温度の変更が指令される毎に、複数段階の設定対象温度のうちから予め設定された順序で定まる設定対象温度を目標加熱温度として設定する目標温度設定手段と、前記目標温度設定手段にて設定された前記目標加熱温度に応じて前記加熱量調整手段を制御する運転制御手段とが備えられたものであって、その第１特徴構成は、前記目標温度設定手段が、前記複数段階の設定対象温度として、段階的に変化する温度幅を異ならせる状態で且つ基準とする複数段階の基準用の設定温度を含む状態で異なる段階数の設定対象温度を備える複数種の温度設定モードを備えて、その複数種の温度設定モードのうちの選択された温度設定モードにおいて、前記温度変更指令手段にて目標加熱温度の変更が指令されるごとに、複数段階の設定対象温度のうちから予め設定された順序で定まる設定対象温度を前記目標加熱温度として設定するように構成され、且つ、人為式のモード選択手段のモード選択指令に基づいて、前記複数種の温度設定モードのうちのいずれかを目標温度設定に使用する温度設定モードとして定めるように構成されている点にある。
【００１０】
第１特徴構成によれば、加熱調理器を使用する使用者がモード選択手段にてモード選択指令を指令することにより、複数種の温度設定モードのうちのいずれかが目標温度設定に使用する温度設定モードとして定められ、そのように定められた温度設定モードにおいて、温度変更指令手段にて目標加熱温度の変更が指令されるごとに、複数段階の設定対象温度のうちから予め設定された順序で定まる設定対象温度が目標加熱温度として設定されることになる。
【００１１】
例えば、大きな温度幅で変化する少段階数の複数の温度のうちのいずれかを選択して目標加熱温度として使用することが多い使用者は、モード選択手段にてモード選択指令を指令することにより、段階的に変化する温度幅が大きく少ない段階数の設定対象温度を備える温度設定モードを目標温度設定に使用する温度設定モードとして定めておけば、その後、加熱調理を行うにあたり目標加熱温度を設定するときには、目標温度設定手段にて目標加熱温度の変更を指令する操作を行うだけで、少ない段階数の設定対象温度の中から所望の温度を目標加熱温度に設定することができ、煩わしさの少ない状態で目標加熱温度を設定することができる。
【００１２】
又、小さい温度幅で細かく変化する多段階の複数の温度のうちのいずれかを選択して目標加熱温度として使用することが多い使用者は、モード選択手段にてモード選択指令を指令することにより、段階的に変化する温度幅が小さく多い段階数の設定対象温度を備える温度設定モードを目標温度設定に使用する温度設定モードとして定めておけば、その後、加熱調理を行うにあたり、目標加熱温度を設定するときには、目標温度設定手段にて目標加熱温度の変更を指令する操作を行うだけで、多い段階数の設定対象温度の中から所望の温度を目標加熱温度に設定することができ、煩わしさの少ない状態で目標加熱温度を設定することができる。
【００１３】
このように、大きな温度幅で変化する少ない段階数の複数の温度のうちのいずれかを選択して目標加熱温度として使用することが多い使用者だけでなく、小さい温度幅で細かく変化する多い段階数の複数の温度のうちのいずれかを選択して目標加熱温度として使用することが多い使用者であっても、温度設定モードを定めるときにはモード選択手段にてモード選択指令を指令する操作を行う必要はあるものの、温度設定モードを一旦定めたのちは、加熱調理を行うにあたり、温度変更指令手段にて目標加熱温度の変更を指令する操作を行うだけでよく、使用者が目標加熱温度を設定するときの操作を、煩わしさがなく判り易い簡単なものにすることができる。
【００１４】
従って、大きな温度幅で変化する少段階数の複数の温度のうちのいずれかを選択して目標加熱温度として使用することが多い使用者だけでなく、小さい温度幅で細かく変化する多段階の複数の温度のうちのいずれかを選択して目標加熱温度として使用することが多い使用者であっても、操作の煩わしさの少ない状態で目標加熱温度を設定することが可能な加熱調理器を提供できるに至った。
【００１５】
本発明の第２特徴構成は、第１特徴構成に加えて、前記目標温度設定手段の前記温度設定モードが設定されたことを報知する報知手段が設けられ、前記運転制御手段が、複数種の温度設定モード夫々において互いに異なる報知内容で報知作動を実行するように前記報知手段を制御するように構成されている点にある。
【００１６】
第２特徴構成によれば、複数種の温度設定モードのうちのいずれかが設定されると、他の温度設定モードとは異なる報知内容で報知作動を実行するので、使用者は、設定された温度設定モードが所望の温度設定モードであるか否かを識別することができるから、複数種の温度設定モードのうちで所望の温度設定モードを目標温度設定に使用する温度設定モードとして定めることを的確に行うことができる。
【００１７】
本発明の第３特徴構成は、第１特徴構成又は第２特徴構成に加えて、前記目標温度設定手段にて設定された前記目標加熱温度を表示するための表示ランプが、設定対象温度の段階数が少ない少段階数の温度設定モードにおける複数の設定対象温度の夫々に対応する状態で設定個数並べる状態で設けられ、前記運転制御手段が、前記目標温度設定手段にて設定された前記目標加熱温度が前記各表示ランプに対応する設定対象温度であるときは、その設定対象温度に対応する表示ランプを点灯表示し、前記目標温度設定手段にて設定された目標加熱温度が前記各表示ランプに対応する複数段階の設定対象温度の中間の温度であるときは、設定された目標加熱温度よりも高い設定対象温度に対応する表示ランプ、及び、設定された目標加熱温度よりも低い設定対象温度に対応する表示ランプの夫々を点灯表示するように構成されている点にある。
【００１８】
第３特徴構成によれば、前記目標加熱温度を表示するための表示ランプの個数を、少段階数の温度設定モードにおける複数の設定対象温度に対応する少ない個数で済ませるようにしながら、目標温度設定手段にて設定された目標加熱温度が各表示ランプに対応する複数段階の設定対象温度の中間の温度であるときは、設定された目標加熱温度よりも高い設定対象温度に対応する表示ランプ、及び、設定された目標加熱温度よりも低い設定対象温度に対応する表示ランプの夫々を点灯表示する構成とすることで、中間の温度であることを適切に表示することができる。
【００１９】
従って、表示ランプの個数を少ない個数で済ませて構成の簡素化を図ることができるものでありながら、多段階数の温度設定モードにおいても、目標温度設定手段にて設定された目標加熱温度を適切に表示させることが可能となる。
【００２０】
本発明の第４特徴構成は、第１特徴構成〜第３特徴構成のいずれかに加えて、前記目標温度設定手段における目標温度設定に使用する温度設定モードを記憶する無電源型の記憶手段が備えられ、前記目標温度設定手段が、前記記憶手段に記憶されている前記温度設定モードにて前記目標加熱温度を設定するように構成されている点にある。
【００２１】
第４特徴構成によれば、無電源型の記憶手段によって目標温度設定手段における目標温度設定に使用する温度設定モード記憶される。この無電源型の記憶手段は、電源供給が停止されたのちも記憶情報が消えることなくそのまま保持することができる。従って、電源供給が一旦停止した後に、再度、使用者が目標加熱温度を設定するときであっても、記憶手段に記憶されている温度設定モードにて目標加熱温度を設定することができるから、使用者は温度設定モードを選択し直す必要がなく、温度変更指令手段にて目標加熱温度の変更を指令する操作を行うだけでよく、使い勝手がよいものとなる。
【００２２】
本発明の第５特徴構成は、第１特徴構成〜第４特徴構成のいずれかに加えて、前記温度変更指令手段及び前記モード選択手段の夫々を兼用構成する１つの手動操作スイッチが備えられ、前記手動操作スイッチがオン状態に切り換わることにより、前記目標加熱温度の変更を指令するように構成され、且つ、前記手動操作スイッチがオン状態を継続する時間が設定時間以上になることにより、前記モード選択指令を指令するように構成されている点にある。
【００２３】
第５特徴構成によれば、使用者が前記手動操作スイッチをオン状態に切り換える操作を行うことにより、目標加熱温度の変更が指令されて、複数段階の設定対象温度のうちから予め設定された順序で定まる設定対象温度を目標加熱温度として設定することができる。
又、使用者が前記手動操作スイッチをオン状態に切り換えてそのオン状態を設定時間以上継続することにより、モード選択指令が指令されて、複数種の温度設定モードのうちのいずれかを目標温度設定に使用する温度設定モードとして定めることができる。
【００２４】
すなわち、前記温度変更指令手段及び前記モード選択手段の夫々を１つの手動操作スイッチにて兼用構成することで、構成の簡素化を図ることができるものでありながら、目標加熱温度の変更の指令、及び、モード選択指令の夫々を適正に行うことができる。
【００２５】
本発明の第６特徴構成は、第１特徴構成〜第５特徴構成のいずれかに加えて、前記目標温度設定手段が、前記複数種の温度設定モードとして、段階的に変化する温度幅が２０℃である少段階数の温度設定モードと、段階的に変化する温度幅が１０℃である多段階数の温度設定モードとを備えて構成されている点にある。
【００２６】
第６特徴構成によれば、複数種の温度設定モードとして、段階的に変化する温度幅が２０℃である少段階数の温度設定モードと、段階的に変化する温度幅が１０℃である多段階数の温度設定モードとを備えているから、少段階数の温度設定モードを選択していると、２０℃の温度幅をもって段階的に変化する複数の設定対象温度の中から適切な設定対象温度を目標加熱温度として設定することができる。加熱調理器では、２０℃ずつ変化する温度であれば一般によく使用される標準的な調理用の加熱温度に設定することが可能である。
【００２７】
又、多段階数の温度設定モードを選択していると、１０℃の温度幅をもって段階的に変化する複数の設定対象温度の中から適切な設定対象温度を目標加熱温度として設定することができる。従って、加熱調理器を用いて被加熱物を加熱するときに、標準的な調理用の加熱温度の中間の温度で被加熱物を加熱したいような場合であっても、１０℃の温度幅をもって多段階に目標加熱温度を設定することで、所望の加熱温度にて被加熱物を加熱させることが可能となる。
【００２８】
本発明の第７特徴構成は、第１特徴構成〜第６特徴構成のいずれかに加えて、前記加熱手段が、被加熱物として加熱用容器に収容された調理物を加熱するように構成され、前記加熱用容器の温度を検出する温度検出手段が備えられ、前記運転制御手段が、前記温度検出手段の検出情報に基づいて前記加熱量調整手段を制御するように構成されている点にある。
【００２９】
第７特徴構成によれば、目標加熱温度を適切な温度に設定しておくと、温度検出手段によって加熱用容器の温度を検出して、その温度検出手段にて検出される加熱用容器の温度が目標加熱温度に対応する温度になるように加熱量調整手段を制御することで、調理物を所望の加熱温度にて加熱することが可能となる。
【発明を実施するための最良の形態】
【００３０】
以下、本発明に係る加熱調理器の実施形態をガスコンロに適用した場合について図面に基づいて説明する。
図１に示すように、ガスコンロは、被加熱物としての調理物を例えば鍋等の加熱用容器に収容された状態で加熱する２つのコンロ部Ｃ１，Ｃ２と、１つのグリル調理部Ｇとを備えて構成され、前面パネル部には、前記各コンロ部Ｃ１，Ｃ２及びグリル調理部Ｇに対して点火・消火を指令するための３個の点消火操作具Ｓ１，Ｓ２，Ｓ３、前記各コンロ部Ｃ１，Ｃ２及びグリル調理部Ｇにおける火力を調整するための３個の火力調整レバーＲＥ、調理用の各種の設定を行う設定用操作部Ａなどが設けられ、各コンロ部Ｃ１，Ｃ２の後方側にはグリル調理部Ｇにて発生する煙や燃焼排ガス等を排出する排気口１が設けられている。
【００３１】
前記２つのコンロ部Ｃ１，Ｃ２のうち第１のコンロ部Ｃ１は高火力のバーナＢ１で構成され、第２のコンロ部Ｃ２は標準火力のバーナＢ２で構成されている。前記各コンロ部Ｃ１，Ｃ２には、夫々、各バーナＢ１、Ｂ２の外方側に吹き溢れた煮汁等を受け止めるための円環状の受皿や加熱用容器Ｙを載置支持する五徳５１等が備えられている。
【００３２】
説明を加えると、図３に示すように、第１のコンロ部Ｃ１におけるバーナＢ１は、点火のために火花放電する点火プラグＰ１及びバーナ燃焼状態を検出する熱電対Ｔ１が取付けられている。バーナＢ１に対する燃料供給路には、閉弁付勢型の開閉弁Ｖ１と流量調整用のニードル弁Ｍ１が設けられている。開閉弁Ｖ１は、詳細は図示しないが電磁コイルを励磁することによって開弁状態に維持することができるように構成され、且つ、点消火操作具Ｓ１を外方に突出している消火用位置から点火位置まで押し込み操作することにより開弁状態に切り換わるように機械的に連係される構成となっている。又、ニードル弁Ｍ１は前記火力調整レバーＲＥが手動で移動操作されることによってガス流量を変更調整することができる構成となっている。
【００３３】
そして、熱電対Ｔ１がバーナ燃焼状態を検出すると、開閉弁Ｖ１の電磁コイルを励磁して開弁状態に維持されるように構成され、且つ、例えば煮汁等の吹き溢れ等に起因してバーナＢ１の炎が消されたような場合には、電磁コイルの励磁を停止して開閉弁Ｖ１を閉弁させて、炎が消された状態で不測に燃料供給が継続されることを未然に防止するようになっている。
【００３４】
第２のコンロ部Ｃ２におけるバーナＢ２は、バーナキャップの中央部に上下方向に貫通する開口が設けられ、この開口を通して、調理物ｔを収容する加熱用容器Ｙの底面温度を検出する温度検出手段としてのサーミスタからなる温度センサＳＴ１を下方側から挿通させて上方に突出させる形式となっている。そして、この温度センサＳＴ１の検出結果に基づいて加熱量を調節することにより温度調整したり、燃料供給を停止させて過熱防止を図るようになっている。又、このバーナＢ２に対する燃料供給路にはオリフィスＯＦを備えたバイパス路ＢＰが設けられ、そのバイパス路ＢＰに並列に設けられるガス流路に加熱量調整手段としての温調用の電磁弁Ｖ２が備えられている。尚、それら以外の構成、即ち、点火プラグＰ２、熱電対Ｔ２、開閉弁Ｖ３、点消火操作具Ｓ２、流量調整用のニードル弁Ｍ２などの構成は、第１のコンロ部Ｃ１についてのものと同様である。
【００３５】
グリル調理部Ｇはテーブルコンロの装置内部に配置されており、魚等の調理物を載置する部分が引き出し式になっている。調理物の載置部の上方及び下方には、裏表両面を同時に加熱調理できるように、面状の上面バーナＧＢ１と２つの下面バーナＧＢ２，ＧＢ３とを備えた両面バーナにて構成され、グリル点火用パイロットＧＰ、及び、グリル点火用パイロットＧＰから遠い方の下面バーナＧＢ２の夫々に点火プラグＰ３、Ｐ４が備えられ、バーナ燃焼状態を検出する熱電対Ｔ３と、グリル水入れ皿の異常加熱を検出するグリル過熱防止センサＳＴ２も設けられている。点火時には点火プラグＰ３によって、グリル点火用パイロットバーナＧＰに点火され、その火が、上面バーナＧＢ１と下面バーナＧＢ３を点火させ、同時に点火プラグＰ４によって下面バーナＧＢ２に点火される方式となっており、バーナ燃焼状態を検出する熱電対Ｔ３によって燃焼状態を検知している。そして、それらの構成以外の開閉弁Ｖ４、点消火操作具Ｓ３、流量調整用のニードル弁Ｍ３などの構成は、第１のコンロ部Ｃ１についてのものと同様であり、点消火操作具Ｓ３を押すことにより、点火操作と開弁操作が行われ、上記のようなガス燃焼が開始される。
【００３６】
前記各点消火操作具Ｓ１、Ｓ２、Ｓ３は、夫々、前面パネル部から外方に突出する消火用位置から点火位置まで押し込み操作した後に手を離すと燃焼用操作位置に保持され、再度、押し操作して手を離すと消火用位置に戻るように構成されている。そして、これら各点消火操作具Ｓ１、Ｓ２、Ｓ３夫々の押し操作に伴って入り状態に切り換わる点消火スイッチ８、９、１０が各別に設けられ、前記燃焼用操作位置及び点火位置に操作されているときには、対応する点消火スイッチがオン状態となり、点消火操作具が消火用位置にあると点消火スイッチがオフするように構成されている。
【００３７】
そして、目標加熱温度の変更を指令する人為操作式の温度変更指令手段ＳＲと、その温度変更指令手段ＳＲにて揚げ物調理を行うときの目標加熱温度の変更が指令される毎に、複数段階の設定対象温度のうちから予め設定された順序で定まる設定対象温度を目標加熱温度として設定する目標温度設定手段１００と、温度変更指令手段ＳＲにて設定された目標加熱温度に応じて温調用の電磁弁Ｖ２を制御する運転制御手段１０１とが備えられている。又、前記目標温度設定手段１００が、複数段階の設定対象温度として備えさせる設定対象温度の段階数を、段階的に変化する温度幅を異ならせる状態で且つ基準とする複数段階の基準用の設定対象温度を含む状態で変化させた複数種の温度設定モードを備えて、その複数種の温度設定モードのうちの選択された温度設定モードにおいて、前記温度変更指令手段ＳＲにて目標加熱温度の変更が指令されるごとに、複数段階の設定対象温度のうちから予め設定された順序で定まる設定対象温度を目標加熱温度として設定するように構成され、且つ、人為式のモード選択手段ＭＳのモード選択指令に基づいて、複数種の温度設定モードのうちのいずれかを目標温度設定に使用する温度設定モードとして定めるように構成されている。
【００３８】
そして、前記温度変更指令手段ＳＲ及び前記モード選択手段ＭＳの夫々を兼用構成する１つの手動操作スイッチが備えられ、前記手動操作スイッチがオン状態に切り換わることにより、前記目標加熱温度の変更を指令するように構成され、且つ、前記手動操作スイッチがオン状態を継続する時間が設定時間以上になることにより、前記モード選択指令を指令するように構成されている。
【００３９】
以下、具体的な構成について説明する。
前面パネルに設けられる設定用操作部Ａには、図２に示すように、油を加熱して天ぷら等の揚げ物調理を行うための揚げ物運転を指令するとともに、揚げ物運転における目標加熱温度の変更を指令し、且つ、モード選択指令を指令する前記手動操作スイッチとしての揚げ物スイッチ２、湯沸かし運転を指令する湯沸かしスイッチ３、ごはん又はおかゆを炊くための炊飯運転を指令する炊飯スイッチ４、揚げ物運転状態であることを示すとともに揚げ物運転において目標加熱温度を示す３個の揚げ物表示ランプ５、湯沸かし運転であることを示す湯沸かしランプ６、炊飯運転状態であって「おかゆ」か「ごはん」のいずれかを示す炊飯ランプ７などが設けられている。
【００４０】
前記揚げ物スイッチ２、湯沸かしスイッチ３、及び、炊飯スイッチ４は、人為操作にて押し操作されるスイッチであって、押し操作されている間はオン状態に切り換わり、押し操作を解除するとオフ状態に切り換わる構成となっている。又、上記したような揚げ物運転、湯沸かし運転、炊飯運転は、第２のコンロ部Ｃ２における標準火力のバーナＢ２を用いて行うものであり、このバーナＢ２が被加熱物を加熱する加熱手段を構成することになる。
【００４１】
又、図３に示すように、このガスコンロには、各部の作動状態を制御する制御部Ｈが備えられ、この制御部Ｈが各種の操作具やスイッチ類の操作に対応させて各部の運転を制御するように構成されている。つまり、この制御部Ｈを利用して、前記目標温度設定手段１００及び運転制御手段１０１が構成されている。前記制御部Ｈはマイクロコンピュータを備えて構成されており、図４に示すように、乾電池ＢＴから制御部Ｈへの電源供給の入切を行う電源スイッチ部１２と、各種の情報を記憶することが可能な無電源型の記憶手段としての不揮発性メモリ１４等も併せて備えられている。電源スイッチ部１２は、前記点消火スイッチ８、９、１０のいずれかがオンすると、スイッチングトランジスタ１３がオンして制御部Ｈに対して電源を供給する状態に切り換わり、前記全てのスイッチがオフすると、スイッチングトランジスタ１３がオフして制御部Ｈに対する電源供給が停止される構成となっている。
【００４２】
前記制御部Ｈは、３個の点消火操作具Ｓ１，Ｓ２，Ｓ３のいずれかが押し操作されると、操作された点消火操作具に対応する点消火スイッチがオン状態に切り換わることにより、電源が供給されて点火開始が指令され、バーナの点火処理を実行するように構成されている。例えば、第１のコンロ部に対応する点消火操作具Ｓ１が点火位置まで押し込み操作されると、開閉弁Ｖ１が開弁操作されている状態で点火プラグＰ１を作動させ、熱電対Ｔ１がバーナ燃焼状態を検出すると、制御部Ｈが開閉弁Ｖ１の電磁コイルを励磁して開閉弁Ｖ１を開弁状態に維持させる。従って、その後、点消火操作具Ｓ１が燃焼用操作位置に保持されているとバーナ燃焼状態を維持することになる。又、例えば煮汁の吹き零れ等によってバーナＢ１の炎が消されたような場合には、熱電対Ｔ１がバーナ燃焼状態を検出しなくなるので、電磁コイルの励磁を停止して開閉弁Ｖ１が閉弁してバーナＢ１への燃料供給を停止させる消火処理を実行する。
【００４３】
又、前記制御部Ｈは、設定用操作部Ａにおける湯沸かしスイッチ３が操作されて湯沸かし運転が指令されると、温度センサＳＴ１にて検出される鍋等の加熱用容器Ｙの底面温度が沸騰温度（約１００℃）になると電磁弁Ｖ２を閉弁させて燃料供給量を抑制して小火にさせて、その後、５分間経過すると自動消火させる湯沸かし用運転処理を実行する。又、火力調整レバーＲＥが炊飯用の位置に調節されている状態で、設定用操作部Ａにおける炊飯スイッチ４が操作されて炊飯運転が指令されると、炊飯用として設定された加熱状態となるように燃焼状態を制御し炊飯が終了すると自動消火させる炊飯用運転処理を実行するように構成されている。
【００４４】
そして、制御部Ｈは、設定用操作部Ａにおける揚げ物スイッチ２が操作されて揚げ物運転が指令されると、揚げ物運転を実行するときの目標加熱温度を揚げ物スイッチ２の操作にて指令された温度に設定して、その設定された目標加熱温度に応じて温調用の電磁弁Ｖ２を制御するように構成されている。
【００４５】
又、制御部Ｈは、前記複数種の温度設定モードとして、段階的に変化する温度幅が２０℃である少段階数の温度設定モードと、段階的に変化する温度幅が１０℃である多段階数の温度設定モードとを備えて構成されている。つまり、揚げ物スイッチ２にて目標加熱温度の変更が指令される毎に、１０℃ずつ５段階の異なる設定対象温度、具体的には、１６０℃、１７０℃、１８０℃、１９０℃、２００℃のうちから予め設定された順序で定まる設定対象温度を目標加熱温度として設定する多段階数の温度設定モードである５段階設定モードと、揚げ物スイッチ２にて目標加熱温度の変更が指令される毎に、２０℃ずつ３段階の異なる設定対象温度、具体的には、１６０℃、１８０℃、２００℃のうちから予め設定された順序で定まる設定対象温度を目標加熱温度として設定する少段階数の温度設定モードである３段階設定モードとを備えて構成されている。
【００４６】
３段階設定モードが前記基準とする複数段階の基準用の設定対象温度からなり、５段階数設定モードが複数段階の基準用の設定対象温度の間に位置する温度を含むものとなる。尚、複数段階の基準用の設定対象温度としては、一般的に使用頻度が高い標準的な複数段階の温度、すなわち、上述したような、１６０℃、１８０℃、２００℃の夫々が設定されることになる。
【００４７】
そして、前記設定用操作部Ａに備えられる３個の揚げ物表示ランプ５は、前記３段階設定モードにおける３つの設定対象温度、１６０℃、１８０℃、２００℃の夫々に対応する状態で並べる状態で設けられている。従って、３段階設定モードが、複数段階の設定対象温度の段階数が少ない少段数の温度設定モードに対応し、５段階設定モードが、複数段階の設定対象温度の段階数が少段数の温度設定モードよりも多い多段数の温度設定モードに対応する。
【００４８】
前記制御部Ｈは、揚げ物スイッチ２にて設定された目標加熱温度が各揚げ物表示ランプ５に対応する設定対象温度であるときは、その設定対象温度に対応する揚げ物表示ランプ５を点灯表示し、揚げ物スイッチ２にて設定された目標加熱温度が各揚げ物表示ランプ５に対応する複数段階の設定対象温度の中間の温度であるときは、設定された目標加熱温度よりも高い設定対象温度に対応する揚げ物表示ランプ５、及び、設定された目標加熱温度よりも低い設定対象温度に対応する揚げ物表示ランプ５の夫々を点灯表示するように構成されている。
【００４９】
例えば、設定された目標加熱温度が１６０℃であれば、１６０℃に対応する揚げ物表示ランプ５だけを点灯表示し、設定された目標加熱温度が１７０℃であれば、１６０℃に対応する表示ランプ５と、１８０℃に対応する表示ランプ５とを共に点灯表示することになる。
【００５０】
さらに、制御部Ｈは、揚げ物スイッチ２がオン状態を継続する時間が設定時間以上になることにより、モード選択指令が指令され、２つの温度設定モードのうちのいずれか、具体的には、現在設定されている温度設定モードとは異なる温度設定モードを目標温度設定に使用する温度設定モードとして定めるように構成されている。又、温度設定モードが設定されたことを報知する報知手段としてのブザーＢＺが設けられ、制御部Ｈが、複数種の温度設定モード夫々において互いに異なる報知内容で報知作動を実行するようにブザーＢＺを制御するように構成されている。
【００５１】
次に、制御部Ｈによる揚げ物運転を実行するときの制御動作についてフローチャートに基づいて説明する。
図５に示すように、第２のコンロ部Ｃ２における標準火力のバーナＢ２に対する点消火操作具Ｓ２が操作されて点火が指令されると、前記バーナＢ２に対する上述したような点火処理を実行する（ステップ１、２）。そして、後述するような目標加熱温度設定処理、及び、加熱量調整処理を実行し（ステップ３、４）、点消火操作具Ｓ２が再度操作されて消火が指令されると、バーナＢ２に対する消火処理を実行する（ステップ５、６）。
【００５２】
図６及び図７を参照しながら目標加熱温度設定処理について説明する。
揚げ物スイッチ２がオン操作されると、不揮発性メモリ１４に書き込まれている内容から、現在の設定モードが５段階設定モードであるか３段階設定モードであるかを判別する（ステップ１１、１２、１３）。尚、運転が初めて開始されるときには、予め不揮発性メモリ１４に３段階設定モードが書き込み記憶されている。
【００５３】
そして、ステップ１３にて３段階設定モードであることが判別されると、そのときに設定されている目標加熱温度が１８０℃であれば目標加熱温度を２００℃に変更設定して２００℃に対応する揚げ物表示ランプ５を点灯させる（ステップ１４、１５）。３段階設定モードであることが判別されたときに設定されている目標加熱温度が２００℃であれば、目標加熱温度を１６０℃に変更設定して１６０℃に対応する揚げ物表示ランプ５を点灯させ（ステップ１６、１７）。３段階設定モードであることが判別されたときに設定されている目標加熱温度が１６０℃であれば、目標加熱温度の設定を解除して全ての揚げ物表示ランプ５を消灯して、目標加熱温度設定処理を終了する（ステップ１８、１９）。但し、揚げ物スイッチ２がオン操作されたときに目標加熱温度が未だ設定されていないときには、１８０℃が目標加熱温度として設定されることになる（ステップ２０）。
【００５４】
ステップ１３において、５段階設定モードであることが判別されると、そのときに設定されている目標加熱温度が１８０℃であれば、目標加熱温度を１９０℃に変更設定して、１８０℃に対応する揚げ物表示ランプ５、及び、２００℃に対応する揚げ物表示ランプ５を夫々点灯させる（ステップ２１、２２）。
【００５５】
５段階設定モードであることが判別されたときに設定されている目標加熱温度が１９０℃であれば、目標加熱温度を２００℃に変更設定して２００℃に対応する揚げ物表示ランプ５を点灯させ、目標加熱温度が２００℃であれば目標加熱温度を１６０℃に変更設定して１６０℃に対応する揚げ物表示ランプ５を点灯させる（ステップ２３〜２６）。
【００５６】
５段階設定モードであることが判別されたときに設定されている目標加熱温度が１６０℃であれば、目標加熱温度を１７０℃に変更設定して１６０℃に対応する揚げ物表示ランプ５、及び、１８０℃に対応する揚げ物表示ランプ５とを夫々点灯させる（ステップ２７、２８）。そして、５段階設定モードであることが判別されたときに設定されている目標加熱温度が１７０℃であれば、目標加熱温度の設定を解除して全ての揚げ物表示ランプ５を消灯して、温度設定処理を終了する（ステップ２９、１９）。３段階設定モードの場合と同様に、揚げ物スイッチ２がオン操作されたときに目標加熱温度が未だ設定されていないときには、１８０℃が目標加熱温度として設定されることになる（ステップ３０）。
【００５７】
図９（イ）には、目標加熱温度Ｔｓが１６０℃の場合の表示状態、同図（ロ）には、目標加熱温度Ｔｓが１７０℃の場合の表示状態を示している。
【００５８】
前記揚げ物スイッチ２が押し操作されているオン状態が設定時間（３秒間）以上継続して操作されたことが判別されると（ステップ１２）、そのときに設定されている温度設定モードが５段階設定モードであれば、温度設定モードを３段階設定モードに切り換えて設定してブザーＢＺを３回間欠的に鳴動させ（ステップ３２、３３）、そのときに設定されている温度設定モードが３段階設定モードであれば、温度設定モードを５段階設定モードに切り換えて設定してブザーＢＺを５回間欠的に鳴動させる（ステップ３４、３５）。そして、その変更した温度設定モードの情報を不揮発性メモリ１４に記憶させるようにメモリ内容を書き換える（ステップ３６）。
【００５９】
このように、変更した温度設定モードの情報を不揮発性メモリ１４に記憶させるようにしたので、バーナＢ２の加熱作動が停止したのちにおいても、変更した温度設定モードの情報が記憶されており、次回の加熱作動開始の際には、その不揮発性メモリ１４に記憶されている温度設定モードにて目標加熱温度の設定が行われることになる。
【００６０】
次に、加熱量調整処理について説明する。
この加熱量調整処理は、図８に示すように、目標加熱温度設定処理にて目標加熱温度Ｔｓが設定されていれば、温度センサＳＴ１にて検出される加熱用容器Ｙの底面温度Ｔｘが目標加熱温度Ｔｓに到達するまでは、温調用の電磁弁Ｖ２を開弁状態にして火力調整器ＲＥにて設定されている設定火力に調整し（ステップ４１、４２、４３）、加熱用容器Ｙの底面温度Ｔｘが目標加熱温度Ｔｓに到達すると、温調用の電磁弁Ｖ２を閉弁させる（ステップ４４）。そうすると、オリフィスＯＦ付きのバイパス路ＢＰだけを通過して燃料が供給されるので、燃料供給量が小量に絞られてバーナＢ２が小さい加熱量で燃焼する小火力状態になる。そして、加熱用容器Ｙの底面温度Ｔｘが目標加熱温度Ｔｓに到達した回数が今回の揚げ物調理運転を開始してから１回目であれば、ブザーＢＺを鳴らして目標加熱温度になったことを使用者に報知する（ステップ４５、４６）。
【００６１】
燃料供給量が小量に絞られて小火力状態になると、加熱用容器Ｙの底面温度Ｔｘが目標加熱温度Ｔｓよりも低下してくるので、温調用の電磁弁Ｖ２を開弁して火力調整器ＲＥにて設定されている設定火力状態に戻すことになり、以降、小火力の状態と設定火力の状態とを繰り返しながら調理物の温度がほぼ目標加熱温度に近い温度に維持されることになる。
【００６２】
〔別実施形態〕
以下、別実施形態を列記する。
【００６３】
（１）上記実施形態では、前記温度変更指令手段及び前記モード選択手段の夫々を兼用構成する１つの手動操作スイッチとしての揚げ物スイッチが設けられ、揚げ物スイッチがオン状態に切り換わることにより目標加熱温度の変更が指令され、揚げ物スイッチがオン状態を継続する時間が設定時間以上になることによりモード選択指令が指令される構成としたが、このような構成に代えて、次のように構成するものでもよい。
【００６４】
例えば、揚げ物スイッチと、他のいずれかのスイッチとが同時に押し操作されると、モード選択指令が指令される構成としてもよい。又、揚げ物スイッチにて前記温度変更指令手段を構成し、この揚げ物スイッチとは別に前記モード選択手段ＭＳを構成する専用の手動操作スイッチを備える構成としてもよい。
【００６５】
（２）上記実施形態では、前記複数種の温度設定モードとして、段階的に変化する温度幅が２０℃である少段階数の温度設定モードと、段階的に変化する温度幅が１０℃である多段階数の温度設定モードとを備えるものを例示したが、このような構成に限らず、例えば、複数段階の設定対象温度の段階的に変化する温度幅が、例えば、５℃、１５℃等、種々の異なる温度幅で段階的に変化する複数種の温度設定モードを備える構成としてもよく、２種類の温度設定モードに限らず、３種類以上の温度設定モードを備える構成としてもよい。又、複数段階の設定対象温度の具体的な数値としては、上記実施形態で例示したものに限定されるものではなく、他の数値を用いるものでもよい。
【００６６】
（３）上記実施形態では、複数種の温度設定モード夫々において互いに異なる報知内容として、ブザーの鳴動回数を異ならせる構成としたが、このような構成に代えて、ブザーの発生音の長さや音の周波数を異ならせる構成としてもよい。又、報知手段としては、ブザーＢＺを用いる代わりに、スピーカを用いて、例えば、「温度を５段階に変更可能です」というような音声で報知するようにしてもよく、あるいは、画像表示で報知するようにしてもよい。又、このような報知作動を実行しない構成としてもよい。
【００６７】
（４）上記実施形態では、前記目標加熱温度を表示するための表示ランプが、設定対象温度の段階数が少ない少段階数（３段階）の温度設定モードにおける設定対象温度の夫々に対応する状態で設定個数並べる状態で設けられる構成としたが、このような構成に限らず、多段階数（５段階）の温度設定モードにおける設定対象温度の夫々に対応する状態で設定個数並べる状態で設ける構成としてもよく、又、このような表示ランプに代えて、液晶表示装置やＬＥＤ表示装置等を用いて目標加熱温度を数値で表示する表示装置を設ける構成としてもよい。
【００６８】
（５）上記実施形態では、前記温度設定モードを記憶する記憶手段として、無電源型のメモリである不揮発性メモリが設けられる構成としたが、加熱手段が加熱作動を停止しているときであっても前記制御部にバックアップ用の電源が供給されるものであれば、不揮発性メモリに限らず、揮発性のメモリに記憶してもよい。
【００６９】
（６）上記実施形態では、前記加熱用容器の温度を検出する温度検出手段としての温度センサが備えられ、前記運転制御手段が、前記温度センサの検出情報に基づいて、前記目標加熱温度に応じて加熱量調整手段としての温調用の電磁弁を開弁状態と閉弁状態とに切り換えて、バーナが大きな加熱量で燃焼する状態と小さい加熱量で燃焼する状態とを交互に繰り返す制御を行う構成としたが、このような構成に限らず、次のように構成してもよい。
つまり、加熱量調整手段を、バーナの加熱量すなわち燃料供給量を無段階に変更調整することが可能な流量調整弁にて構成し、前記目標加熱温度に加熱するための加熱量を予め実験等により求めておき、バーナの加熱量（燃料供給量）を目標加熱温度に対応する加熱量にするように流量調整弁を制御する構成としてもよい。
【００７０】
（７）上記実施形態では、加熱調理器としてガスを燃料としたバーナを用いたガスコンロで説明したが、加熱手段として、電気ヒータや電磁誘導式の加熱手段等を用いた加熱調理器であってもよい。
【図面の簡単な説明】
【００７１】
【図１】全体斜視図
【図２】設定用操作部の正面図
【図３】概略構成図
【図４】電源供給状態を示す回路図
【図５】制御動作のフローチャート
【図６】制御動作のフローチャート
【図７】制御動作のフローチャート
【図８】制御動作のフローチャート
【図９】設定用表示部の表示状態を示す図
【符号の説明】
【００７２】
２        手動操作スイッチ
５        表示ランプ
１４      記憶手段
１００    目標温度設定手段
１０１    運転制御手段
Ｂ２      加熱手段
ＢＺ      報知手段
ＭＳ      モード選択手段
ＳＲ      温度変更指令手段
ＳＴ１    温度検出手段
Ｖ２      加熱量調整手段
【図１】
0004669380.tif 000002
【図２】
0004669380.tif 000003
【図３】
0004669380.tif 000004
【図４】
0004669380.tif 000005
【図５】
0004669380.tif 000006
【図６】
0004669380.tif 000007
【図７】
0004669380.tif 000008
【図８】
0004669380.tif 000009
【図９】
0004669380.tif 000010